(57)【要約】【課題】薄金属板を筒状に形成すると共に、下端を鋸状に形成して切断刃１１を設けた本体部１と、前記の本体部の対向上縁間を連結するアーチ状の把手部２を備えた農業用被覆シートの孔開けカッターにおいて、新規な本体部１の補強手段を備えた器具を提供する。【解決手段】把手部２の両端部分に、把手部２の幅より幅広とし且つ充分な高さを備えた補強板部３を、把手部２と連続する一枚のＨ状の金属板で形成すると共に、前記補強板部３を本体部１の周面に溶接して把手部２を本体部１に連結してなる。【選択図】図１
0003157651.tif 000002
【実用新案登録請求の範囲】
【請求項１】
薄金属板を筒状に形成すると共に、下端を鋸状に形成して切断刃を設けた本体部と、前記の本体部の対向上縁間を連結するアーチ状の把手部を備え、前記把手部の両端部分に、把手部の幅より幅広とし且つ充分な高さを備えた補強板部を、把手部と連続する一枚の金属板で形成すると共に、前記補強板部を本体部の周面に溶接して把手部を本体部に連結してなることを特徴とする農業用被覆シートの孔開けカッター。
【請求項２】
把手部を、両側縁を折り返した補強構造に形成し、下端を尖らし且つ下端部分に螺条を周設した切除フィルムの保持棒を、本体部中央に垂下するように上端個所を前記把手部に連結固定してなる請求項１記載の農業用被覆シートの孔開けカッター。
【考案の詳細な説明】
【技術分野】
【０００１】
本考案は、畝の表面を覆うように敷設されている農業用被覆シートに、移植用や種蒔き用の透孔を穿つのに使用される手道具である孔開けカッターに関するものである。
【背景技術】
【０００２】
農業用被覆シートは、マルチシート、マルチングシート或いはマルチフィルム等と称されており、遮光、温度調整、雑草の繁殖抑制等の目的で使用され、移植個所や種蒔き個所には孔開けが為されるものである。
【０００３】
前記の孔開けに際しては、シート敷設時に同時に穿孔するものや、敷設した後にトラクターなどの走行機械に穿孔装置を装着して穿孔する手段が知られているが、小規模栽培の場合には、手道具である孔開けカッターを使用している。
【０００４】
手動具である孔開けカッターは、フィルムの切除と同時に移植用の掘削孔を形成する器具（登録実用新案３１０７２７８号公報、同３１２４７７３号公報参照）が知られているが、最も単純な構成は、特許文献１（特開２００５−１３７２３７号公報）に開示されているように、筒状で下端に鋸状の切断刃を設けた本体部に、アーチ状の把手部を設けた器具である。
【先行技術文献】
【特許文献】
【０００５】
【特許文献１】特開２００５−１３７２３７号公報。
【考案の概要】
【考案が解決しようとする課題】
【０００６】
畑土を一緒に取り除く器具は、本体部には掘削土を保持するに十分な強度を必要とするが、単に孔開けのみに使用する器具においては、筒状本体部を薄く形成することで、軽量化が実現すると共に、鋸状切断刃も薄く形成されて充分な切れ味を確保できる。
【０００７】
但し本体部を薄く形成すると、筒状の横方向耐久力が低下してしまうので、何らかの補強手段を施す必要がある。そのため前記特許文献１には、本体部の内周面に保護枠を装着して補強を実現しており、また市販品においては、本体部にリブ突条を形成して補強を実現している器具も存在する。
【０００８】
しかし本体部に保護枠を装着するには、保護枠を本体部内周面に密着するようにある程度正確に製造する必要があり、而も内周面全体に渡ってスポット溶接する必要があり、その製造は煩瑣であるといえる。
【０００９】
また本体部周面にリブ突条を形成する補強手段も、リブ突条を形成して補強した平板を、特に筒状に形成されるように撓曲して端部を重ね合わせ、当該重ね合わせ個所を溶接して製出するので、単なる薄い平板を筒状にして製出する場合と比較すると製造が煩雑である。
【００１０】
そこで本考案は、新規な補強手段を施した農業用被覆シートの孔開けカッターを提案したものである。
【課題を解決するための手段】
【００１１】
本考案に係る農業用被覆シートの孔開けカッターは、薄金属板を筒状に形成すると共に、下端を鋸状に形成して切断刃を設けた本体部と、前記の本体部の対向上縁間を連結するアーチ状の把手部を備え、前記把手部の両端部分に、把手部の幅より幅広とし且つ充分な高さを備えた補強板部を、把手部と連続する一枚の金属板で形成すると共に、前記補強板部を本体部の周面に溶接して把手部を本体部に連結してなることを特徴とするものである。
【００１２】
而して従前の器具のとおり、把手部を把持して、畝に敷かれた農業用被覆シートに対して上方より押し付けると、切断刃でシートに本体部に対応した穿孔が為されるものである。
【００１３】
また本考案（請求項２）に係る農業用被覆シートの孔開けカッターは、前記カッターにおいて、特に把手部を、両側縁を折り返した補強構造に形成し、下端を尖らし且つ下端部分に螺条を周設した切除フィルムの保持棒を、本体部中央に垂下するように上端個所を前記把手部に連結固定してなるもので、前記器具でシートへの穿孔を実施すると、穿孔と同時に保持棒がシートに刺さり、切除されたシート片は螺条に引っかかることで順次積層保持される。
【考案の効果】
【００１４】
本考案の構成は上記のとおりで、把手部を本体部に溶接して装着する作業が、本体部に対して補強板部を溶着する作業を兼ねることになるので、製造が容易であると共に、独立した補強部材（保護枠：帯状部材）を本体部全周に渡って溶接することなく、把手部の根元個所が本体部との重ね合せ部分であるため、本体部を所定位置に固定した状態で前記の溶接作業を行うことになるので、この点からも製造が容易になるものである。
【図面の簡単な説明】
【００１５】
【図１】本考案の実施形成の全体斜視図（上方斜視）。
【図２】同図（下方斜視）。
【考案を実施するための形態】
【００１６】
次に本考案の実施形態について説明する。実施形態に示した孔開けカッターは、本体部１と把手部２と、補強板部３と、保持棒４を備えてなる。
【００１７】
本体部１は、薄金属平板を筒状に撓曲して端部を重ね合わせ、重ね合せ部分を溶着（スポット溶接）して形成したもので、下端は予め鋸状に形成しておき、リング状の切断刃１１を設けてなるものである。尚上縁部分は外周に折り返して補強構造としてなるものである。
【００１８】
把手部２と補強板部３は、Ｈ状の１枚の薄金属板で形成するもので、両端が補強板部３に該当し、中間部分は、両側縁を折り返した補強構造に形成すると共に、アーチ状に湾曲して把手部２に形成したものである。
【００１９】
補強板部３は、把手部２の幅より幅広とし、且つ相応の補強機能を発揮できるのに充分な高さを備えたもので、本体部１の周面に合わせて湾曲面に形成し、本体部１の内周面に添わせてスポット溶接して、把手部２を本体部１に連結してなる。
【００２０】
保持棒４は、下端を尖らし且つ下端部分に螺条４１を周設したもので、アーチ状の把手部２の頂上個所に上端を連結固定し、本体部１の中央の切断刃１１の個所まで垂下するように設けたものである。
【００２１】
前記した実施形態に示した器具は、従前の農業用被覆シート（マルチフィルム）の孔開けカッターと同様に、把手部２を把持して、畝に敷かれたシートに対して上方より押し付け、切断刃１１がシートに食い込み、保持棒４がシートに刺さるので、器具を引き上げると、シートに所定の孔が穿たれると共に、シート片は、保持棒４の螺条４１に引っ掛かって取りのぞかれ、畝に移植用孔又は種蒔き用に孔が形成されることになる。
【符号の説明】
【００２２】
１        本体部
１１      切断刃
２        把手部
３        補強板部
４        保持棒
４１      螺条
【図１】
0003157651.tif 000003
【図２】
0003157651.tif 000004